(57)【要約】【課題】  押子の表示をリフィールの種別等に応じて容易に変更することができる。【解決手段】  軸筒１０と、該軸筒１０から露出した押子２０，３０と、押子２０，３０に対し着脱交換可能に装着されたリフィール４０，５０とを備え、前記押子に対する進退操作に応じてリフィール先端の筆記部４１，５１を出没させるようにした出没式筆記具において、押子２０，３０には、筆記部４１，５１の種別を表示する識別部２４，３２が、着脱交換可能に装着されている。【選択図】  図１
2014136393.tif 000002
【特許請求の範囲】
【請求項１】
軸筒と、該軸筒から露出した押子と、該押子に対し着脱交換可能に装着されたリフィールとを備え、前記押子に対する進退操作に応じてリフィール先端の筆記部を出没させるようにした出没式筆記具において、
前記押子には、前記筆記部の種別を表示する識別部が、着脱交換可能に装着されていることを特徴とする出没式筆記具。
【請求項２】
前記識別部は、前記筆記部の種別に対応する色を表示していることを特徴とする請求項１記載の出没式筆記具。
【請求項３】
前記押子と前記識別部の間に、内部側に凹んだ被係合部を設けたことを特徴とする請求項１又は２記載の出没式筆記具。
【請求項４】
前記被係合部に所定の治具が差し込まれた場合に、該治具が前記押子と前記識別部の双方に当接して、前記識別部が前記押子から外されるようにしたことを特徴とする請求項３記載の出没式筆記具。
【請求項５】
前記被係合部を貫通孔としたことを特徴とする請求項３又は４記載の出没式筆記具。
【請求項６】
前記被係合部の内面に、奥へ向かって内部空間を狭める傾斜面を形成したことを特徴とする請求項３乃至５何れか１項記載の出没式筆記具。
【請求項７】
前記識別部は、前記筆記部の種別に対応する色を表示する識別本体部と、該識別本体部から突出する接続突部とを一体に備え、前記接続突部を前記押子に挿入し嵌め合せるように構成され、
前記被係合部は、前記押子と前記識別本体部との間に設けられていることを特徴とする請求項３乃至６何れか１項記載の出没式筆記具。
【発明の詳細な説明】
【技術分野】
【０００１】
本発明は、押子を進退させる操作により、ボールペン用リフィールやシャープペンシル用リフィール等の筆記部を出没させるようにした出没式筆記具に関し、特に、前記リフィール等を着脱可能に備えた出没式筆記具に関するものである。
【背景技術】
【０００２】
従来、この種の筆記具には、特許文献１に記載されるもののように、軸筒（１０）と、該軸筒（１０）から露出した複数の押子（３０）と、これら押子（３０）の各々に装着されたリフィール（２１，２２）と、各押子（３０）に対し前記リフィールのインク色等に対応して固定された色識別部（３２）とを備え、複数の押子（３０）が選択的に操作されることで、対応するリフィール先端の筆記部を出没させる出没式筆記具が知られている。
【０００３】
ところで、このような多色の出没式筆記具では、リフィールのインクが消耗してしまった場合に該リフィールを交換可能であるのは勿論のこと、前記リフィールを好みの色や先端太さの異なるものに交換することも可能である。
しかしながら、後者のような用い方をした場合には、交換後のリフィールの色と、予め押子に固定された色識別部の色とが対応しなくなってしまう場合がある。このため、リフィールを交換する際には、元の色（色識別部の色）と同一又は近似する色のものを選択する必要がある。また、このことは、交換用リフィールのバリエーションを増やし難いことの一因にもなる。
【先行技術文献】
【特許文献】
【０００４】
【特許文献１】特開２００９−１１３２８０公報
【発明の概要】
【発明が解決しようとする課題】
【０００５】
本発明は上記従来事情に鑑みてなされたものであり、その課題とする処は、押子の表示をリフィールの種別等に応じて容易に変更することができる出没式筆記具を提供することにある。
【課題を解決するための手段】
【０００６】
上記課題を解決するための一手段は、軸筒と、該軸筒から露出した押子と、該押子に対し着脱交換可能に装着されたリフィールとを備え、前記押子に対する進退操作に応じてリフィール先端の筆記部を出没させるようにした出没式筆記具において、前記押子には、前記筆記部の種別を表示する識別部が、着脱交換可能に装着されていることを特徴とする。
【発明の効果】
【０００７】
本発明は、以上説明したように構成されているので、押子の表示をリフィールの種別等に応じて容易に変更することができる。
【図面の簡単な説明】
【０００８】
【図１】本実施の形態の出没式筆記具の側面図であり、前端側を切欠して内部構造を示している。
【図２】同出没式筆記具の後部側断面図であり、クリップ体が後退位置で閉鎖された状態を示す。
【図３】同出没式筆記具の後部側断面図であり、クリップ体が前進位置の状態を示す。
【図４】同出没式筆記具の後部側断面図であり、クリップ体が後退位置で開放された状態を示す。
【図５】図２における（V）‐（V）線に沿う端面図であり、（ａ）は、クリップ体の前端側を閉鎖した状態、（ｂ）は、クリップ体の前端側を開放させて後端側を閉鎖した状態を示す。なお、軸筒内部の構造は省略している。
【図６】軸筒の後部側形状の一例を示す平面図である。
【図７】軸筒の後部側形状の一例を示し、図６に対する側面を示す。
【図８】軸筒の後部側形状の一例を示し、図６に対する逆側の面を示す。
【図９】軸筒の後方から視た図を示す。
【図１０】図６の（X）‐（X）線に沿う断面図である。
【図１１】（ａ）は図１０の（XI−I）‐（XI−I）線に沿う端面図、（ｂ）は図１０の（XI−II）‐（XI−II）線に沿う端面図である。
【図１２】図１０の（XII）‐（XII）線に沿う端面図である。
【図１３】クリップ体の一例を示す平面図である。
【図１４】同クリップ体の側面図である。
【図１５】図１３の（XV）‐（XV）線に沿う断面図である。
【図１６】図１５の（XVI）‐（XVI）線に沿う端面図である。
【図１７】押子の一例を示す側面図である。
【図１８】同押子の縦断面図である。
【図１９】図１８の（XIX）‐（XIX）線に沿う端面図である。
【図２０】図１８の（XX）‐（XX）線に沿う端面図である。
【図２１】識別部の一例を示す側面図である。
【図２２】同識別部を後方から視た図（図２１に対する右側面図）である。
【図２３】図２１に対する下面図である。
【図２４】図１４の（XXIV）‐（XXIV）線に沿う端面図であり、治具により識別部を外そうとしている状態を示す。
【図２５】図１７の（XXV）‐（XXV）線に沿う端面図であり、治具により識別部を外そうとしている状態を示す。
【図２６】第二実施形態の出没式筆記具を示す後部側断面図である。
【図２７】第二実施形態の出没式筆記具における軸筒を示す後部側平面図である。
【図２８】図２７の（XXVIII）‐（XXVIII）線に沿う端面図であり、内部構造を省略して示している。
【図２９】第三実施形態の出没式筆記具を示す後部断面図及び後端面図であり、（ａ）はクリップ体を開放した状態を示し、（ｂ）はクリップ体を閉鎖した状態を示す。
【発明を実施するための形態】
【０００９】
本実施の形態の第一の特徴は、軸筒と、該軸筒から露出した押子と、該押子に対し着脱交換可能に装着されたリフィールとを備え、前記押子に対する進退操作に応じてリフィール先端の筆記部を出没させるようにした出没式筆記具において、前記押子には、前記筆記部の種別を表示する識別部が、着脱交換可能に装着されている。
ここで、前記「種別」とは、色や、太さ、機能等の種類による区別を意味する。
この構成によれば、リフィールを異なる種別のものに交換した場合に、押子の識別部も、交換後のリフィールに対応するものに着脱交換することができる。
【００１０】
第二の特徴では、前記識別部は、前記筆記部の種別に対応する色を表示している。
この構成によれば、識別部に表示される色によって筆記部の種別を認識することができる。
【００１１】
第三の特徴では、前記押子と前記識別部の間に、内部側に凹んだ被係合部を設けた。
この構成によれば、例えば爪先や適当な治具等を、被係合部に対し楔状に差し込んで、識別部を押子から外すことができる。よって、識別部を比較的小型に形成した場合であっても、その識別部を容易に外すことができる。
【００１２】
第四の特徴では、前記被係合部に所定の治具が差し込まれた場合に、該治具が前記押子と前記識別部の双方に当接して、前記識別部が前記押子から外されるようにした。
この構成によれば、所定の治具を被係合部に差し込むと、該治具が押子と識別部の双方に当接して、識別部が押子から外れる。よって、識別部を比較的小型に形成した場合であっても、その識別部を前記治具によって容易に外すことができる。
【００１３】
第五の特徴では、前記被係合部を貫通孔とした。
この構成によれば、被係合部に所定の治具を差し込んだ場合に、該治具の中心部先端が被係合部内に当接して損傷するのを防ぐことができる。例えば、前記治具としてボールペンチップを用いた場合でも、該チップ先端を貫通孔内に挿入させることができるため、該チップ先端が被係合部内に当接して損傷するようなことを防ぐことができる。
【００１４】
第六の特徴では、前記被係合部の内面に、奥へ向かって内部空間を狭める傾斜面を形成した。
この構成によれば、傾斜面によって前記治具を被係合部内へ導くことができる上、前記治具を傾斜面に摺接する力によって、識別部を押子本体から外すことができる。
【００１５】
第七の特徴では、前記識別部は、前記筆記部の種別に対応する色を表示する識別本体部と、該識別本体部から突出する接続突部とを一体に備え、前記接続突部を前記押子に挿入し嵌め合せるように構成され、前記被係合部は、前記押子と前記識別本体部との間に設けられている。
この構成によれば、着脱交換可能な識別部を押子に嵌め合せた状態のがたつきを軽減することができる。
【００１６】
また、より好ましい特徴としては、前記押子には、前記識別本体部が挿入され嵌め合せられる識別本体部用凹部と、該識別本体用凹部内に位置するとともに前記識別部の前記接続突部が挿入され嵌め合せられる被接続凹部とを形成する。
この構成によれば、着脱交換可能な識別部を押子本体に嵌め合せた状態のがたつきを、より効果的に軽減することができる。
【００１７】
また、より好ましい特徴としては、前記識別部を前記押子から軸筒径外方向へ突出させる。この構成によれば、識別部に手指を掛けて押子を操作できるため、その操作性が良好である。
【００１８】
また、より好ましい特徴としては、前記識別部を前記押子に対し凹凸状に嵌め合せる。この構成によれば、識別部と押子とを容易に着脱可能にすることができる上、装着状態のがたつきを軽減することができる。
【００１９】
また、より好ましい特徴としては、前記押子と、この押子に対応する前記筆記部とを、複数備えて多機能筆記具を構成する。
ここで、前記多機能筆記具には、異なる色のリフィールを具備する多色筆記具や、ボールペン用リフィールとシャープペンシル用リフィール等のように機能の異なる複数のリフィールを具備する筆記具等を含む。
そして、この構成によれば、複数のリフィールを機能の異なるもの（色の違うものを含む）に交換した場合でも、その交換後の各リフィールの機能を、対応する押子の識別部によって認識することができる。
【００２０】
また、より好ましい特徴としては、前記押子は、支点部よりも後側の部分が軸筒側へ押圧されることによって、同支点部よりも前側の部分と軸筒外周面との間を開放する開閉操作機能付クリップを構成している。
この構成によれば、例えば、開閉操作機能付クリップをシャープペンシル用リフィールに対応する押子として用いた場合に、前記シャープペンシル用リフィールを太さの異なるものに交換した際に、同時に前記識別部を他の形状又は色等に交換すれば、シャープペンシル用リフィールの太さが変更されたことを容易に認識することができる。
【００２１】
なお、本明細書中、軸筒軸方向とは、軸筒の中心線の延びる方向を意味する。また、「前」とは、軸筒軸方向の一方側であって筆記部の先端方向を意味する。また、「後」とは、軸筒軸方向の前記一方側に対する逆方向側を意味する。また、「軸筒径方向」とは、軸筒軸方向に対し直交する方向を意味する。また、「軸筒径外方向」又は「軸筒遠心方向」とは、軸筒径方向に沿って軸筒中心から離れる方向を意味する。「軸筒径内方向」又は「軸筒求心方向」とは、軸筒径方向に沿って軸筒中心へ近づく方向を意味する。また、「クリップ幅方向」とは、クリップの前後方向に対し直交する方向であってクリップの厚み方向ではない方向を意味する。
【００２２】
次に、上記特徴を有する本実施の形態の好ましい具体例を、図面に基づいて詳細に説明する。
【００２３】
この出没式筆記具１は、図１〜図２５に示すように、前後方向へわたる案内孔１２ａ，１２ｂを周壁に有する略円筒状の軸筒１０と、案内孔１２ａ，１２ｂから軸筒外に露出した複数の押子２０，３０と、各押子２０，３０に対し着脱交換可能に装着されたシャープペンシル用リフィール４０及びボールペン用リフィール５０とを備た多機能（多色）筆記具である。
そして、この出没式筆記具１は、選択された押子２０（又は３０）を後退位置から前進位置まで前進させた際に、該押子２０（又は３０）に対応する筆記部４１（又は５１）を突出するとともに、押子２０（又は３０）を軸筒内側へ沈み込ませて係止部１２ｃ２（又は１２ｄ２）に係止する。また、出没式筆記具１は、前記係止状態を、所定の解除操作（図示例によれば他の押子３０（又は２０）を前進させる操作）により解除し、先に前進した押子２０（又は３０）を後退させるとともに筆記部４１（又は５１）を没入させる。
また、同出没式筆記具１は、一つの押子２０を開閉操作可能なクリップとしても兼用することができるクリップ開閉操作機能付出没式筆記具として構成される。
【００２４】
各構成要素について詳細に説明すれば、先ず、軸筒１０は、前軸１１に対し、後軸１２を着脱可能に接続してなる長尺円筒状の部材であり、その軸方向の全長にわたる全外周面には、軸筒外径面１０ａよりも径外方向へ突出する突起物がない。
そして、この軸筒１０の内部には、図１〜図４に示すように、シャープペンシル用リフィール４０及びボールペン用リフィール５０、これらリフィール４０，５０をそれぞれ軸方向へ案内するリフィールガイド部材６１、これらリフィール４０，５０をそれぞれ後方へ付勢する付勢部材６２（図示例によれば圧縮スプリング）、シャープペンシル用リフィール４０の後端に接続されるとともに押子２０を構成するスライド体２１、ボールペン用リフィール５０の後端に接続された押子３０等が設けられている。
【００２５】
なお、図１〜図４は、当該出没式筆記具１の基本構造を明確に示すために、一つのシャープペンシル用リフィール４０および一つのボールペン用リフィール５０のみを具備した例を示しているが、これらリフィールの数は単数又は複数とすることが可能であり、図６〜図１２の具体例では、一つのシャープペンシル用リフィール４０と四つのボールペン用リフィール５０を内在可能な軸筒１０を示している。
【００２６】
前軸１１は、前端部に、筆記部４１，５１を出没させるための開口部１１ａを有する略円筒状の部材であり、後軸１２に対し着脱可能に螺合接続されている。
【００２７】
後軸１２は、外周部に突出部分を有しない略長尺円筒状の部材である。この後軸１２は、その外周面を後方へ向かって徐々に軸筒中心側へ若干傾斜する傾斜面状に形成しており、この傾斜角度は、該外周面への転写印刷を容易に行える程度に設定される。なお、転写印刷をより容易にするために、後軸１２を全長にわたって同径に形成するようにしてもよい。
この後軸１２は、その後端側周壁に、押子２０，３０を軸筒軸方向へ案内する案内孔１２ａ，１２ｂを有する。また、後軸１２内には、該後軸１２とは別体の筒状スライド体１２ｃが設けられる（図２〜図４参照）。
【００２８】
複数の案内孔１２ａ，１２ｂのうち、一方の案内孔１２ａは、開閉機能付クリップを構成する押子２０を案内するものであり、他方の案内孔１２ｂは、ボールペン用リフィール５０に対応する押子３０を案内するものである（図２〜図４参照）。
一方の案内孔１２ａは、前後方向へ連続する長尺状の貫通孔であり、軸筒周方向（図６の上下方向）の両側に略平行な２直線状に並ぶ両縁部を、その前部側の第一縁部１２ａ１と、該第一縁部１２ａ１よりも後側に連続する第二縁部１２ａ２と、該第二縁部１２ａ２よりも後側に連続する第三縁部１２ａ３とから構成している。
【００２９】
第一縁部１２ａ１は、第二縁部１２ａ２よりも前側の所定範囲に設けられる（図６及び図７参照）。この第一縁部１２ａ１は、軸筒外径面１０ａを周方向において案内孔１２ａ側へ連続させた仮想外径面１０ｘ（図１１（ａ）参照）よりも凹んだ平坦面状に形成されている。
この第一縁部１２ａ１の軸筒軸方向の長さは、押子２０が、第二縁部１２ａ２に沿って前進した後に軸筒内側へ沈み込んで鉛芯繰出しのために進退操作されるように適宜に設定される。
【００３０】
第二縁部１２ａ２は、前記仮想外径面１０ｘを径外方向へ超えない範囲で、第一縁部１２ａ１よりも径外方向へ突出した縁部分である。この第二縁部１２ａ２は、図示例によれば、軸筒外径面１０ａと案内孔１２ａの内側面との交差部分であり、前記仮想外径面１０ｘと略同径である（図１１（ｂ）参照）。
【００３１】
第三縁部１２ａ３は、軸筒１０の外周面における第二縁部１２ａ２よりも後側の所定範囲を、第二縁部１２ａ２から後方へ向かって軸筒径内方向へ傾斜する傾斜面１２ｅとすることで形成され、該傾斜面１２ｅと案内孔１２ａ内側面との交差部分である（図６参照）。
【００３２】
前記傾斜面１２ｅは、軸筒１０の外周面の後端側に配置された平坦状の傾斜面であり、押子２０を構成するクリップ体２２が開放した際に（図４参照）、該クリップ体２２の後端側を受ける。
また、この傾斜面１２ｅは、案内孔１２ａの後部側及び後述する凸部１２ｆを挟むようにして軸筒周方向の両側に設けられる。二つの傾斜面１２ｅ，１２ｅの間であって、案内孔１２ａよりも後側となる部分には、クリップ体２２の後端側に対し凹凸状に嵌り合う凸部１２ｆが設けられる（図６参照）
【００３３】
凸部１２ｆは、軸筒１０における傾斜面１２ｅを有する範囲の外径面１０ｂ（図６参照）よりも大きくならない範囲で、傾斜面１２ｅよりも径外方向へ突出するように形成される。この凸部１２ｆの突出量は、クリップ体２２が開放した際に該クリップ体２２の後端側に嵌り合い、クリップ体２２が閉鎖した際には該クリップ体２２の後端側から離脱するように設定されている。
【００３４】
他方の案内孔１２ｂは、案内孔１２ａと略同長さで且つ案内孔１２ａよりも狭い幅で、前後方向へ連続する長尺状の貫通孔である。
【００３５】
筒状スライド体１２ｃは、後軸１２内の後端側に挿入され、軸筒１０から後方へ突出する部分にノック部１３を嵌め合せている（図２参照）。そして、この筒状スライド体１２ｃは、後軸１２の後方へ突出するノック部１３のノック操作により、前後方向へ進退して、シャープペンシル用リフィール４０を繰出し動作させる。なお、シャープペンシル用リフィール４０からの鉛芯の繰出しは、開閉操作機能付クリップである押子２０が前進位置にある際、該押子２０を進退させる操作と、ノック部１３をノックする操作との何れかの選択操作により可能である。
この筒状スライド体１２ｃの周壁には、押子２０，３０を前後スライド可能に受ける平坦面状のスライド面１２ｃ１，１２ｄ１や、該スライド面１２ｃ１，１２ｄ１に沿って前進した際の押子２０，３０を軸筒内側へ沈み込ませて係止する段状の係止部１２ｃ２，１２ｄ２等が設けられる。
【００３６】
押子２０は、案内孔１２ａに嵌り合って前後へ進退可能なスライド体２１と、該スライド体２１に支持されて軸筒外へ露出したクリップ体２２と、クリップ体２２を閉鎖方向へ付勢する付勢部材２３と、クリップ体２２に対し着脱交換可能に装着された識別部２４とを備え、クリップ体２２におけるスライド体２１との支持点Ｐよりも後側の部分が軸筒径内方向へ押動されることによって、クリップ体２２における支持点Ｐよりも前側の部分を軸筒外周面から離隔させて開放する開閉操作機能付クリップを構成している。
【００３７】
スライド体２１は、案内孔１２ａに沿って前後へスライドするように形成される。このスライド体２１には、案内孔１２ａ内で係止部１２ｃ２に係止される被係止部２１ａや、軸筒外径方向へ突出してクリップ体２２を回動可能に支持する支持凸部２１ｂ、シャープペンシル用リフィール４０を接続するリフィール接続部２１ｃ等が設けられる。
前記支持凸部２１ｂは、クリップ体２２を、支持点Ｐを中心にして回転するように支持している。この支持構造は、例えば、軸と孔による軸受構造や、凸部と凹部による軸受構造、その他の軸受構造等とすればよい。
【００３８】
クリップ体２２は、軸筒１０外周面と略平行に前方へ延設された表部２２ａと、該表部２２ａの幅方向（図１３の上下方向）の両側で軸筒側へ突出する二つの突片部２２ｂ，２２ｂとから断面略凹状に形成される。
そして、このクリップ体２２は、二つの突片部２２ｂ，２２ｂがスライド体２１の支持凸部２１ｂに支持され、その支持点Ｐを中心にして回動する。
【００３９】
表部２２ａには、識別部２４を着脱交換可能に嵌合する被嵌合部２２ａ１が設けられる（図１５参照）。
この被嵌合部２２ａ１は、識別部２４の識別本体部２４ａが挿入され嵌め合せられる識別本体部用凹部２２ａ１１と、該識別本体用凹部２２ａ１１内に位置するとともに識別部２４の接続突部２４ｂが挿入され嵌め合せられる被接続凹部２２ａ１２と、後述する被係合部２５の片半部を構成する切欠部２２ａ１３とからなる。
【００４０】
識別本体部用凹部２２ａ１１は、識別部２４の識別本体部２４ａに対し若干の遊びを有する状態で嵌り合うように形成された凹部である（図１３〜図１５参照）。
【００４１】
被接続凹部２２ａ１２は、押子２０を軸筒径方向へ貫通する円筒状の孔であって、識別部２４の接続突部２４ｂを着脱可能に圧入するように形成される（図１３〜図１５参照）。
【００４２】
切欠部２２ａ１３は、識別本体部用凹部２２ａ１１の表部側をクリップ幅方向へ貫通しており、図示例によれば、略半円状に形成されている（図１５参照）。
【００４３】
突片部２２ｂ，２２ｂは、表部２２ａのクリップ幅方向の両端部から軸筒側へ突出するとともに、クリップ体２２の前後方向の略全長にわたって連続するように形成される（図１４〜図１５参照）。
これら突片部２２ｂ，２２ｂの前端側は、軸筒側へ突出して玉部２２ｂ１を構成している。また、これら突片部２２ｂ，２２ｂの後部側には、後述するスライド体２１の支持凸部２１ｂによって回転可能に支持される突起状の軸部２２ｂ２を有する（図１５参照）。
【００４４】
また、付勢部材２３は、圧縮コイルスプリングであり、スライド体２１とクリップ体２２の間において、支持点Ｐよりも後側に挿入されて、クリップ体２２の後端側を軸筒１０から離れる方向へ付勢している（図２〜図４参照）。
この付勢部材２３は、クリップ体２２を閉鎖方向へ付勢するものであればよく、引張バネや、板バネ、支持点Ｐに設けられるねじりコイルバネ等に置換することが可能である。
【００４５】
識別部２４は、リフィール４０，５０（又は筆記部４１，５０）の種別を表示する識別本体部２４ａと、識別本体部２４ａから突出する接続突部２４ｂとを一体に備え、接続突部２４ｂを押子２０（詳細にはクリップ体２２）に挿入し嵌め合せた際に、識別本体部２４ａがクリップ体２２内に若干の遊びを有する状態で嵌り合うように構成される。
【００４６】
識別本体部２４ａは、筆記部４１，５０の種別に対応する色を表示した状態でクリップ体２２の外部に露出するように形成される。この識別本体部２４ａは、本実施の形態の一例によれば、接続突部２４ｂと一体成形される合成樹脂材料の色を筆記部４１に対応する色としているが、他例としては、該識別本体部２４ａの表面の一部又は全体に着色を施した態様とすることも可能である。
さらに、この識別本体部２４ａの他例としては、該識別本体部２４ａの外観形状によって筆記部４１，５０を識別できる態様としてもよく、例えば、該識別本体部２４ａを筆記部４１，５０に対応するマスコット形状とし、意匠上の体裁を向上するようにしてもよい。
【００４７】
そして、この識別本体部２４ａには、切欠部２４ａ１が設けられる（図２１参照）。この切欠部２４ａ１は、クリップ前後方向の位置をクリップ体２２の切欠部２２ａ１３に対応させるようにして、識別本体部２４ａ前後方向の中央寄りに配置され、押子２０をクリップ幅方向へ貫通するように形成される（図２４参照）。そして、この切欠部２４ａ１は、クリップ体２２の切欠部２２ａ１３と協働して、被係合部２５を構成する。
【００４８】
被係合部２５は、クリップ体２２の切欠部２２ａ１３と、識別部２４の切欠部２４ａ１とによって囲まれるとともにクリップ幅方向へ貫通する孔である。この被係合部２５の内面には、該被係合部２５の奥へ向かって内部空間を狭めるように傾斜面２４ａ１１が形成される。この傾斜面２４ａ１１は、被係合部２５内に所定の治具Ｘが挿入された際に、治具Ｘから受ける押圧力が徐々に増加するように作用する（図２４及び図２５参照）。
なお、この傾斜面２４ａ１１は、図示例によれば、識別部２４側のみに設けているが、同様の傾斜面を、クリップ体２２側のみに設けたり、識別部２４側及びクリップ体２２側の双方に設けるようにしてもよい。
【００４９】
接続突部２４ｂは、その外周面に複数の縦リブ２４ｂ１を有し、これら縦リブ２４ｂ１をクリップ体２２の被接続凹部２２ａ１２内周面に圧接している。
【００５０】
また、押子３０は、案内孔１２ｂ内のスライド面１２ｄ１に沿って前後へスライドするように形成された押子本体３１と、押子本体３１に着脱交換可能に装着された識別部３２とから構成される（図１７参照）。
【００５１】
押子本体３１は、案内孔１２ｂ内の係止部１２ｄ２に係止される被係止部３１ａや、軸筒周壁から軸筒外径方向へ突出する操作部３１ｂ、ボールペン用リフィール５０を接続するリフィール接続部３１ｃ等を備え、操作部３１ｂに形成された被嵌合部３１ｂ１に識別部３２を装着している。
【００５２】
押子本体３１の被嵌合部３１ｂ１は、クリップ体２２の被嵌合部２２ａ１と同様にして、識別本体部用凹部３１ｂ１１、被接続凹部３１ｂ１２、切欠部３１ｂ１３等を有する（図１８参照）。
【００５３】
識別部３２は、上述した押子２０の識別部２４と同一形状の部品であり、識別部２４と同様に、識別本体部３２ａと接続突部３２ｂからなり、識別本体部３２ａに切欠部３２ａ１を有し、接続突部３２ｂに複数の縦リブ３２ｂ１を有し、切欠部３２ａ１には傾斜面３２ａ１１が形成される。
この識別部３２は、上記識別部２４とは異なる色の合成樹脂材料から成形されている。
【００５４】
そして、上記構成の押子本体３１と識別部３２の間には、押子２０の構成と同様に、治具Ｘを挿入するための被係合部３５が構成される。
【００５５】
またシャープペンシル用リフィール４０は、開閉操作機能付クリップを構成する押子２０、又は出没式筆記具１のノック操作により、芯タンク４２内の鉛芯を、前端の筆記部４１から繰り出すように構成されている。
【００５６】
また、ボールペン用リフィール５０は、インクタンク５２内のインクを筆記部５１前端の転写ボールから突出するように構成されている。
【００５７】
次に上記構成の出没式筆記具１について、その特徴的な作用効果を詳細に説明する。
先ず、出没式筆記具１の製造時においては、案内孔１２ａ（又は１２ｂ）の両縁部に軸筒１０の外径面よりも突出する部分がないため、軸筒外周面における案内孔１２ａ（又は１２ｂ）の近傍に転写印刷による印刷表示部１０ａ１を容易に施すことができる。より詳細に説明すれば、図６〜図８に示すように、例えば、後軸１２の外周面であって、且つ、案内孔１２ａ，１２ｂ、第一縁部１２ａ１、傾斜面１２ｅ以外の範囲であって、該範囲に近接する部位に、星模様の印刷表示部１０ａ１を容易に施すことができる。
ひいては、転写印刷によって軸筒デザインのバリエーションを大幅に増加することが可能となる。
【００５８】
しかも、軸筒１０の外径面よりも凹んだ案内孔１２ａと、該案内孔１２ａの後側で該案内孔１２ａよりも突出する第二縁部１２ａ２とを有するため、図３に示すように、開閉機能付クリップである押子２０を前進させた際には、該押子２０のクリップ体２２及びスライド体２１を軸筒中心側へ沈み込ませて、スライド体２１の係止部１２ｃ２への係止を良好に行うことができる。なお、前進位置にある押子２０（開閉操作機能付クリップ）は、図３に示すように、クリップ体２２の後端側が軸筒１０の外周面に近接又は接触しているため、前端側を開放させることがない。
【００５９】
また、図４に示すように、クリップ体２２を後退位置で開放した際には、該クリップ体２２の支持点Ｐよりも後側の凹状部分が、軸筒１０後端側の凸部１２ｆに対し嵌り合う。より詳細に説明すれば、前記凹状部分を構成するクリップ体２２幅方向両側の突片部２２ｂ，２２ｂが、その内側面を、凸部１２ｆの両側面に近接又は接触させるようにして、これら凹状部分と凸部１２ｆとが嵌り合う（図４及び図５参照）。
さらに、この嵌り合いと略同時に、二つの突片部２２ｂ，２２ｂの突端が、後軸１２側の傾斜面１２ｅ，１２ｅに当接する。
したがって、クリップ体２２が、開放状態で軸筒周方向やクリップ幅方向等、軸筒軸方向に対し交差する方向へがたつくのを防ぐことができる。
【００６０】
また、クリップ体２２が閉鎖された際には、クリップ体２２の後端側部分と凸部１２ｆとの嵌り合いが解除される。すなわち、クリップ体２２が閉鎖方向へ回動して、クリップ体２２の後端側部分が凸部１２ｆから離脱する（図５（ａ）参照）。したがって、クリップ体２２は、軸筒１０側からの摩擦抵抗を受け難く、容易に進退可能且つ回動可能な状態に保持される。
【００６１】
その上、前記のようなクリップ体２２の開放状態では、図４に示すように、該クリップ体２２の両突片部２２ｂ，２２ｂの後端側が、軸筒外周面の傾斜面１２ｅ，１２ｅ（図４及び図６参照）に当接するため、クリップ体２２が前後方向へがたつくのを防ぐことができる。
【００６２】
また、リフィール４０（又は５０）を、好みの機能や色のものに交換する場合には、交換後のリフィール４０（又は５０）に対応するように識別部２４（又は３０）も容易に交換することができる。
この交換作業の手順を詳細に説明すれば、図２４及び図２５に示すように、押子２０（又は３０）の被係合部２５（又は３５）に対し、棒状の治具Ｘが挿入される。治具Ｘは、図示例によれば、ボールペン用リフィールであり、その先端チップが、被係合部２５（又は３５）に挿入される。
この際、被係合部２５（又は３５）は貫通孔であるため、挿入した治具Ｘの先端部（ボールペンリフィールの先端チップ）が損傷するようなことを防ぐことができる。
そして、治具Ｘを被係合部２５（又は３５）内へ押し込めば、治具Ｘの先端側が、識別部２４（又は３２）の傾斜面２４ａ１１（又は３２ａ１１）と、押子２０（３０）の双方に当接し摺接して、識別部２４（又は３２）が押子２０（３０）から抜け出て外れる。
なお、治具Ｘ先端を被係合部２５（又は３５）内へ差し込み、識別部２４（又は３２）を治具Ｘでこじ上げるようにして外すことも可能である。
【００６３】
また、他の色の識別部２４（又は３２）を装着する際には、これら識別部２４（又は識別部３２）を、被嵌合部２２ａ１（又は３１ｂ１）に手で押し込むようにすればよい。
【００６４】
よって、上記出没式筆記具１によれば、リフィール４０，５０を好みの色や機能のものに交換した際に、その色や機能に対応するように、識別部２４（又は３２）を容易に交換することができる。
【００６５】
次に、本実施の形態の他の具体例について説明する。なお、以下に示す出没式筆記具は、上述した出没式筆記具１を一部変更したものであるため、主に、その変更部分について詳細に説明し、重複する説明を省略する。
【００６６】
図２６〜図２８に示す出没式筆記具２は、前記出没式筆記具１に対し、後軸１２を後軸１２’に置換し、クリップ体２２をクリップ体２２’に置換したものである。
【００６７】
クリップ体２２’は、支持点Ｐよりも前側の内面に、該内面の他の部分よりも軸筒側へ突出する玉部２２ｃ’を有する。この玉部２２ｃ’は、軸筒側へ突出する突端部分をクリップ前後方向へ長い略矩形状に形成した平板状の部位である。
【００６８】
後軸１２’は、その周壁における案内孔１２ａよりも前側に、玉部２２ｃ’を没入させて前後方向へ案内するガイド溝１２ｇ’を、軸筒外径面１０ａよりも凹ませて設けている。このガイド溝１２ｇ’は、軸筒軸方向へわたって略同深さの長尺状の溝であり、クリップ体２２’の前後ストロークよりも若干長い寸法に形成される。
【００６９】
よって、図２６〜図２８に示す出没式筆記具２によれば、後軸１２’の製造時に、該後軸１２’の外周面であって、且つ、案内孔１２ａ，１２ｂ、第一縁部１２ａ１、傾斜面１２ｅ、ガイド溝１２ｇ’以外の範囲であって、該範囲の近傍となる部位に、転写印刷によって、星模様の印刷表示部１０ａ１を容易に施すことができる。
しかも、クリップ体２２’の玉部２２ｃ’を凹状のガイド溝１２ｇ’により受けるようにしているため、クリップ体２２’が軸筒周方向へがたつくのを防ぐことができる。その上、進退するクリップ体２２’の玉部２２ｃ’が軸筒外周面の印刷表示部１０ａ１に摺接することはないので、玉部２２ｃ’に擦られて印刷表示部１０ａ１が剥がれるようなことを防ぐことができる。
【００７０】
また、図２９に示す出没式筆記具３は、前記出没式筆記具１に対し、前記後軸１２を、外周面に突起を有する後軸１２”に置換し、筒状スライド体１２ｃ及びノック部１３を省いた構成となっている。
【００７１】
後軸１２”は、その後部側を凸湾曲状に徐々に縮径した略円筒状を呈し、その外周面において、案内孔１２ａよりも前側の部分から径外方向へ突出する玉部受け１２ｈ”、案内孔１２ａの後部側の両縁に沿って径外方向へ突出するガイド壁１２ｉ”，１２ｉ”、該ガイド片１２ｉ”よりも後側で径外方向へ突出する凸部１２ｊ”等を具備している。
【００７２】
玉部受け１２ｈ”は、前後方向へわたる凸片状に形成され、クリップ体２２裏面の略凹状の玉部２２ｂ１に嵌り合って、クリップ体２２が周方向へがたつくのを防いだり、玉部２２ｂ１と軸筒外周面との間に被挟持物を挟んだ際の摩擦抵抗を増大したりする。
【００７３】
ガイド壁１２ｉ”，１２ｉ”は、スライド体２１の支持凸部２１ｂをクリップ幅方向の両側から挟むようにして軸筒外周面から突出し、スライド体２１の進退を案内するとともに、該スライド体２１が周方向へがたつくのを防ぐ。
【００７４】
凸部１２ｊ”は、後軸１２における最後端側の外周面から径方向へ突出し、開放した際にクリップ体２２の後端側の部分に対し嵌り合う。
【００７５】
上記構成の出没式筆記具３によれば、後軸１２”に該後軸１２”の外周面よりも径外方向へ突出する部分があるため上記出没式筆記具１，２に比べて転写印刷はし難いが、凸部１２ｊ”の突出量を比較的大きく確保しているため、開放時におけるクリップ体２２のがたつきを効果的に防ぐことができる。
【００７６】
なお、上記出没式筆記具１，２，３によれば、複数の押子２０，３０を具備するようにしたが、他例としては、単数の押子を具備した態様とすることも可能である。
【００７７】
また、上記出没式筆記具１，２，３は、識別部２４（又は３２）を押子２０（又は３０）に圧入嵌合するようにしたが、これらは着脱可能に接続されていればよく、図示例以外の構造とすることも可能である。
【００７８】
また、上記出没式筆記具１，２，３によれば、識別部２４，３２を押子２０（又は３０）から突出させて、識別部２４，３２が手掛け部としても機能するようにしたが、他例としては、識別部２４，３２を押子２０（又は３０）と面一にした態様や、識別部２４，３２を押子２０（又は３０）内に目視可能に没入した態様とすることも可能である。
【００７９】
また、上記出没式筆記具１，２，３によれば、識別部２４，３２を同一の外観形状としたが、他例としては、複数の識別部のうち、その一部または全部を他のものとは異なる外観形状にしてもよい。
【００８０】
また、上記識別部２４，３２は、筆記部４１，５１の種別に応じた色を表示するようにしたが、この識別部の他例としては、筆記部の種別に応じた所定形状を有する態様、筆記部の種別に応じた文字や記号、模様、図形等を表示した態様等とすることが可能である。
【００８１】
また、上記出没式筆記具１，２，３によれば、識別部２４，３２を外すための治具Ｘとしてポールペンを用いたが、他例としては、治具Ｘとして爪楊枝やその他の棒状部材又は先細状部材を用いることも可能である。さらに、治具Ｘを用いずに、識別部２４，３２を手で押したり引っ張ったりして着脱する態様とすることも可能である。
【００８２】
また、上記出没式筆記具１，２，３によれば、特に好ましい具体例として、第二縁部１２ａ２を軸筒１０の仮想外径面１０ｘ（図１１参照）と略同径にしたが、他例としては、第二縁部１２ａ２を、仮想外径面１０ｘよりも小さい直径の範囲内で第一縁部１２ａ１よりも突出させた態様とすることも可能である。
【００８３】
また、上記出没式筆記具１，２，３によれば、クリップ体２２が後退位置で開放するのに伴って、クリップ体２２における支持点Ｐよりも後側の凹状部分が、軸筒１０側の凸部１２ｆに対し嵌り合うようにしたが、他例としては、クリップ体２２の後端側に軸筒１０側へ突出する凸部を設けるとともに軸筒１０側には凹部を設け、これら凸部と凹部を嵌脱するようにしてもよい。
【００８４】
また、上記出没式筆記具１，２によれば、押子２０，３０を前後スライド可能に受けるスライド面１２ｃ１，１２ｄ１や、該スライド面１２ｃ１，１２ｄ１に沿って前進した際の押子２０，３０を軸筒内側へ沈み込ませて係止する係止部１２ｃ２，１２ｄ２を、後軸１２内の筒状スライド体１２ｃに設けたが、他例としては、これらスライド面及び係止部を軸筒の周壁に直接設けた態様とすることも可能である。
【符号の説明】
【００８５】
１，２，３：出没式筆記具
１０：軸筒
１０ａ１：印刷表示部
１２ａ，１２ｂ：案内孔
１２ａ１：第一縁部
１２ａ２：第二縁部
１２ａ３：第三縁部
１２ｃ２，１２ｄ２：係止部
１２ｆ：凸部
１２ｅ：傾斜面
２０，３０：押子
２１：スライド体
２２：クリップ体
２２ａ：表部
２２ｂ：突片部
２４，３２：識別部
２４ａ，３２ａ：識別本体部
２４ｂ，３２ｂ：接続突部
２５，３５：被係合部
３１：押子本体
４０：シャープペンシル用リフィール
４１：筆記部
５０：ボールペン用リフィール
５１：筆記部
Ｐ：支持点
Ｘ：治具
【図１】
2014136393.tif 000003
【図２】
2014136393.tif 000004
【図３】
2014136393.tif 000005
【図４】
2014136393.tif 000006
【図５】
2014136393.tif 000007
【図６】
2014136393.tif 000008
【図７】
2014136393.tif 000009
【図８】
2014136393.tif 000010
【図９】
2014136393.tif 000011
【図１０】
2014136393.tif 000012
【図１１】
2014136393.tif 000013
【図１２】
2014136393.tif 000014
【図１３】
2014136393.tif 000015
【図１４】
2014136393.tif 000016
【図１５】
2014136393.tif 000017
【図１６】
2014136393.tif 000018
【図１７】
2014136393.tif 000019
【図１８】
2014136393.tif 000020
【図１９】
2014136393.tif 000021
【図２０】
2014136393.tif 000022
【図２１】
2014136393.tif 000023
【図２２】
2014136393.tif 000024
【図２３】
2014136393.tif 000025
【図２４】
2014136393.tif 000026
【図２５】
2014136393.tif 000027
【図２６】
2014136393.tif 000028
【図２７】
2014136393.tif 000029
【図２８】
2014136393.tif 000030
【図２９】
2014136393.tif 000031